(57)【要約】      （修正有）【課題】光源モジュールに適用される光源モジュールコネクタを提供する。【解決手段】光源モジュールコネクタ１０は、板側端１２と、ワイヤ側端１４と、ワイヤ材１６とを備える。光源モジュールコネクタ１０は、板側端型、ワイヤ材型あるいはそれらの混合型の態様で提供される。板側端型においては、導電端子がワイヤ材１６のどの１本の導線に電気的に接触するかが、板側端１２の導電端子が配置される位置によって決定される。ワイヤ材型においては、導電端子がワイヤ材１６のどの１本の導線に電気的に接触するかが、ワイヤ材１６の絶縁層を除去して露出させたワイヤ材１６の導線によって決定される。混合型は、板側端型とワイヤ材型とを混合使用するものである。【選択図】図１
0003229405.tif 000002
【実用新案登録請求の範囲】
【請求項１】
光源モジュールに適用される光源モジュールコネクタであって、
板側端と、ワイヤ側端と、ワイヤ材とを備え、
前記板側端に、第１導電端子と、第１係止具とを形成し、前記板側端を、前記光源モジュールに設置するために供し、前記第１導電端子の一端が前記光源モジュールに電気的に接続され、
前記板側端と結合される前記ワイヤ側端に、収容空間と、開口と、第２係止具とを形成し、前記第１係止具と前記第２係止具とを係止させ、前記ワイヤ側端が前記板側端に固定され、及び前記開口に前記第１導電端子が対応して設けられ、
前記収容空間に設置される前記ワイヤ材は、第１導線と、第２導線と、前記第１導線及び前記第２導線を被覆する絶縁層とを有し、かつ前記ワイヤ材の前記開口に相応する部位において前記絶縁層を除去して前記第１導線と前記第２導線を露出させ、
前記第１導電端子の他端が前記開口を貫通して前記第１導線または前記第２導線の一端に電気的に接触することは、前記板側端の前記第１導電端子が配置される位置によって決定されることを特徴とする、光源モジュールコネクタ。
【請求項２】
前記第１係止具が突起バンプであり、前記第２係止具がＯ字形開口であり、前記突起バンプを前記Ｏ字形開口に結合することにより、前記第１係止具と前記第２係止具とを係止させることを特徴とするか、または、前記第１係止具がＯ字形開口であり、及び前記第２係止具が突起バンプであり、前記突起バンプを前記Ｏ字形開口に結合することにより、前記第１係止具と前記第２係止具とを係止させることを特徴とする、請求項１に記載の光源モジュールコネクタ。
【請求項３】
光源モジュールに適用される光源モジュールコネクタであって、
板側端と、ワイヤ側端と、ワイヤ材とを備え、
前記板側端に、第１導電端子と、第２導電端子と、第１係止具とを形成し、前記板側端を、前記光源モジュールに設置するために供し、前記第１導電端子の一端と前記第２導電端子がそれぞれ前記光源モジュールに電気的に接続され、
前記板側端と結合される前記ワイヤ側端に、収容空間と、開口と、第２係止具とを形成し、前記第１係止具と前記第２係止具とを係止させ、前記ワイヤ側端が前記板側端に固定され、及び前記開口に前記第１導電端子と前記第２導電端子が対応して設けられ、
前記収容空間に設置される前記ワイヤ材は、第１導線と、第２導線と、前記第１導線及び前記第２導線を被覆する絶縁層とを有し、かつ前記ワイヤ材の前記第１導電端子が設けられる前記開口に相応する部位において前記絶縁層を除去して前記第１導線を露出させ、
前記第１導電端子の他端が前記開口を貫通して前記第１導線に電気的に接触すること、または前記第２導線の他端が前記開口を貫通して前記絶縁層に接触して前記第２導線を絶縁することは、前記ワイヤ材の前記絶縁層を除去して露出させた前記第１導線に基づいて決定されることを特徴とする、光源モジュールコネクタ。
【請求項４】
前記ワイヤ側端に位置決め駒をさらに形成し、前記ワイヤ材に位置決め孔を形成し、前記位置決め駒が前記位置決め孔に対応して設けられることで、前記位置決め駒を前記位置決め孔に結合した後、前記第１導線及び前記第２導線が前記開口に位置決めされることを特徴とする、請求項１又は３に記載の光源モジュールコネクタ。
【請求項５】
前記ワイヤ材は、導線配置変換アダプタをさらに含み、前記導線配置変換アダプタが前記第１導線及び前記第２導線の他端に接続されることを特徴とする、請求項１又は３に記載の光源モジュールコネクタ。
【考案の詳細な説明】
【技術分野】
【０００１】
本考案は、コネクタの技術分野に関し、特に、ライトバー（Ｌｉｇｈｔ  ｂａｒ）に適用される光源モジュールコネクタに関するものである。
【背景技術】
【０００２】
伝統的に、液晶表示パネルの構成においては、主に液晶層のほかに、別の重要な層である発光層を備えている。液晶層からは、発光層を通らなければ、画面を表示させることができない。
【０００３】
現有技術の発光層は、多数組の発光ダイオードモジュールから構成され、その複数の発光ダイオードが液晶層下に分布しており、発光ダイオードで形成する面光源を液晶層に作用させる。
【０００４】
多数組の発光ダイオードモジュールの間は、バスラインを介して接続され、液晶表示パネルは、相異なるサイズを有するため、発光ダイオードモジュールは、サイズに応じてカスタム化設計を行う必要がある。それゆえ、回路レイアウト設計に対してはそれなりの制限がある。さらに、発光ダイオードモジュールが損傷したり、壊れたりした場合、発光ダイオードモジュールを丸ごと取り替えるなどの対応が必要となってしまい、コスト高となるだけでなく、交換作業が大変で面倒であるという問題があった。
【０００５】
これに鑑み、本考案は、従来技術の欠如を解決するための光源モジュールコネクタを提案する。
【考案の概要】
【考案が解決しようとする課題】
【０００６】
本考案の第１の目的は、板側端と、ワイヤ側端と、ワイヤ材とを備え、ワイヤ側端とワイヤ材とを組み合わせることにより、光源モジュールの板側端と結合することができ、光源モジュールを駆動させる目的が達成される、光源モジュールコネクタを提供することにある。
【０００７】
本考案の第２の目的は、導電端子がワイヤ材に位置するどの１本の導線と導通するかを、板側端に配置されて位置する導電端子によって決定される、光源モジュールコネクタを提供することにある。
【０００８】
本考案の第３の目的は、導線が板側端に位置するどの１つの導電端子に電気的に接続するかを、ワイヤ材の絶縁層を除去して露出させた導線によって決定される、光源モジュールコネクタを提供することにある。
【０００９】
本考案の第４の目的は、位置決め駒と位置決め孔とを提供することで、位置決め駒を位置決め孔に結合した後、導線が導電端子に位置決めされることを確保する、光源モジュールコネクタを提供することにある。
【００１０】
本考案の第５の目的は、ワイヤ材の導線に接続するための導線配置変換アダプタを提供することで、光源モジュールを駆動させる、光源モジュールコネクタを提供することにある。
【課題を解決するための手段】
【００１１】
上記の目的と及びその他の目的を達成するために、本考案は、光源モジュールに適用される光源モジュールコネクタを提供する。光源モジュールコネクタは、板側端と、ワイヤ側端と、ワイヤ材とを備える。板側端に第１導電端子と、第１係止具とを形成する。板側端は、光源モジュールに設置することができ、第１導電端子の一端は、光源モジュールに電気的に接続される。ワイヤ側端は、板側端と結合される。ワイヤ側端に収容空間と、開口と、第２係止具とを形成する。第１係止具と第２係止具とを係止させ、ワイヤ側端が板側端に固定され、開口に第１導電端子が対応して設けられる。ワイヤ材は、収容空間に設置される。ワイヤ材は、絶縁層と、第１導線と、第２導線とを有する。第１導線と第２導線とを絶縁層で被覆し、かつワイヤ材の開口に相応する部位に絶縁層を除去して第１導線と第２導線を露出させる。その内、第１導電端子の他端が開口を貫通して第１導線または第２導線の一端に電気的に接触することは、板側端の第１導電端子が配置される位置によって決定される。
【００１２】
また、上記の目的及びその他の目的を達成するために、本考案は、光源モジュールに適用される光源モジュールコネクタを提供する。光源モジュールコネクタは、板側端と、ワイヤ側端と、ワイヤ材とを備える。板側端に第１導電端子と、第２導電端子と、第１係止具とを形成する。板側端は、光源モジュールに設置することができ、第１導電端子の一端と第２導電端子は、それぞれ光源モジュールに電気的に接続される。ワイヤ側端は、板側端と結合される。ワイヤ側端に収容空間と、開口と、第２係止具とを形成する。第１係止具と第２係止具とを係止させ、ワイヤ側端が板側端に固定され、開口に第１導電端子と第２導電端子が対応して設けられる。ワイヤ材は、収容空間に設置される。ワイヤ材は、絶縁層と、第１導線と、第２導線とを有する。第１導線と第２導線とを絶縁層で被覆し、かつワイヤ材の第１導電端子が設けられる開口に相応する部位に絶縁層を除去して第１導線を露出させる。その内、第１導電端子の他端が開口を貫通して第１導線に電気的に接触すること、または第２導線の他端が開口を貫通して絶縁層に接触して第２導線を絶縁することは、ワイヤ材の絶縁層を除去して露出させた第１導線に基づいて決定される。
【考案の効果】
【００１３】
従来の技術に比べて、本考案の光源モジュールコネクタは、各種の態様によって、光源モジュールに接続するために用いられる。第１の態様では、板側端の導電端子の配置位置を変更することによって、どの１つの導体と選択的に導通させることができ、その利点は、ワイヤ材のある区間の絶縁層を一回で除去することができ、どの１本の導線と導通させることは、導電端子の配置のみによって決定される点である。第２の態様では、ワイヤ材の導体の露出位置を変更することによって、どの１つの導電端子と選択的に導通させることができ、その利点は、板側端は、同種の導電端子の配置を使用してもよく、どの１つの導電端子と導通させることは、ワイヤ材の導線の露出位置のみを変更することによって決定される点である。第３の態様は、第１の態様と第２の態様とを組み合わせたものである。
【図面の簡単な説明】
【００１４】
【図１】本考案の第１実施形態の光源モジュールコネクタの構造模式図である。
【図２】本考案の図１の板側端を説明する詳細模式図である。
【図３】本考案の図１のワイヤ側端を説明する詳細模式図である。
【図４】本考案の図１のワイヤ材を説明する上面図である。
【図５】本考案の図１のワイヤ材と第１導電端子との接触を説明する上面図である。
【図６】本考案の第２実施形態の光源モジュールコネクタの光源モジュールへの適用の構造模式図である。
【図７】本考案の図６の板側端を説明する詳細模式図である。
【図８】本考案の図６のワイヤ材を説明する上面図である。
【図９】本考案の第３実施形態の光源モジュールコネクタの構造模式図である。
【考案を実施するための形態】
【００１５】
本考案の目的、特徴及び効果を十分に理解してもらうため、ここで、添付の図面を参照して、下記の具体的な実施形態により、後述のように本考案を詳細に説明する。
【００１６】
本考案において、「１つ」または「１個」は、本文に記載されたユニット、エレメント及びコンポーネントを記述するために使用されるものである。これは単に説明の便宜上のためのものであり、なおかつ本考案の範疇に対して一般的な意義を与えるためのものである。従って、別段の意味が明記されていない限り、このような記述は、１個、少なくとも１個を含み、かつ単数形は、複数形をも含むものと理解するべきである。
【００１７】
本考案において、「備える」、「含む」、「有する」、「含有する」という用語、または他のいかなる類似の用語は、非排他的な包含関係をカバーするように意図される。例を挙げて言えば、複数の要件を含有するエレメント、構造、製品または装置は、本文に列挙されたそれらの要件だけに限定されることは必須でなく、明示的には列挙されていないまたは本来備わっているはずの他の要件が、そのようなエレメント、構造、製品または装置に含まれてもよい。このほか、反対の明確な説明がない限り、「または」という用語は、排他的な「または」ではなく、包括的な「または」を意味することが意図されている。
【００１８】
＜第１実施形態＞
本考案の第１実施形態の光源モジュールコネクタの構造模式図である図１を参照する。図１において、光源モジュールコネクタ１０は、光源モジュールに適用され、例えば、光源モジュールは、液晶表示モニタのバックライト層である。
【００１９】
光源モジュールコネクタ１０は、板側端１２と、ワイヤ側端１４と、ワイヤ材１６とを備える。他の実施形態において、光源モジュールコネクタ１０は、ワイヤ側端１４に結合され、後述されるような収容空間ＳＰにワイヤ材１６を被覆するための蓋体１８をさらに備えてもよい。
【００２０】
本考案の図１の板側端を説明する詳細模式図である図２を併せて参照する。図２において、板側端１２に第１導電端子１２２と、第１係止具１２４とを形成する。板側端１２は、光源モジュールに設置することができ、第１導電端子１２２の一端は、光源モジュールに電気的に接続され、電力や電気信号を伝達するために供される。ここでは、第１導電端子１２２の個数として１２個を例として説明すると、板側端１２は、ワイヤ材１６の導線に接続される必要のある第１導電端子１２２のみを保留する必要があり、接続されていない部分を取り外す作業を行うようにする。第１係止具１２４は、板側端１２の周縁に形成される。ここで、第１係止具１２４としてＯ字形開口を例として説明したが、その他の実施形態において、第１係止具１２４は、突起バンプであってもよい。第１係止具１２４の構造の設計は、後述されるような第２係止具１４６の構造に関連する。
【００２１】
本考案の図１のワイヤ側端を説明する詳細模式図である図３を併せて参照する。ワイヤ側端１４は、板側端１２と結合される。図３において、ワイヤ側端１４に収容空間ＳＰと、開口１４４と、第２係止具１４６とを形成する。板側端１２とワイヤ側端１４とを結合するときに、第２係止具１４６と第１係止具１２４とを係止させ、ワイヤ側端１４が板側端１２に固定され、及び開口１４４に第１導電端子１２２が対応して設けられる。収容空間ＳＰは、ワイヤ材１６を収容するために用いられる。ここでは、開口１４４の個数として６個を例として説明すると、それらはそれぞれワイヤ材１６の部分をカバーするものである。第２係止具１４６は、ワイヤ側端１４の周縁に形成され、ここで、第２係止具１４６として突起バンプを例として説明したが、その他の実施形態において、第２係止具１４６は、Ｏ字形開口であってもよい。従って、第２係止具１４６と第１係止具１２４とを係止させるときに、突起バンプがＯ字形開口内に係止されることで、ワイヤ側端１４が板側端１２に固定される。別の一実施形態において、ワイヤ側端１４は、位置決め駒１４８をさらに含んでもよい。
【００２２】
本考案の図１のワイヤ材を説明する上面図である図４を併せて参照する。ワイヤ材１６は、収容空間ＳＰに設置されてもよい。図４において、ワイヤ材１６は、絶縁層１６２と、複数の導線とを有する。それら複数の導線を便宜的に説明するため、ここでは、第１導線１６４と第２導線１６６とを例として説明する。第１導線１６４と第２導線１６６とを絶縁層１６２で被覆することで、第１導線１６４と第２導線１６６とは、ワイヤ材１６の外部環境から電気的に隔離される。また、本実施形態において、ワイヤ材１６の開口１４４に相応する部位に絶縁層１６２を除去すると同時に、第１導線１６４と第２導線１６６を露出させ、すなわち複数の導線が位置する当該部位には、絶縁層１６２による電気的隔離が得られない。別の一実施形態において、ワイヤ材１６は、位置決め孔１６８をさらに含んでもよく、位置決め駒１４８が位置決め孔１６８に対応して設けられることで、位置決め駒１４８を位置決め孔１６８に結合した後、第１導線１６４と第２導線１６６が開口１４４に位置決めされる。
【００２３】
本考案の図１のワイヤ材と第１導電端子との接触を説明する上面図である図５を併せて参照する。図５において、第１導電端子１２２の他端が開口１４４を貫通して第１導線１６４または第２導線１６６の一端に電気的に接触することは、板側端１２の第１導電端子１２２が配置される位置によって決定される。簡単に言えば、絶縁層１６２の開口１４４に隣接する部位の絶縁層１６２を全て除去するので、全ての導線（第１導線１６４と第２導線１６６とを含む）を全部外に露出させることができる。
【００２４】
従って、第１導電端子１２２が設置される位置は、設計を行って配置されれば、第１導電端子１２２を利用して導通予定される導線に接触することができ、ここで、第１導電端子１２２が第１導線１６４に接続する。
【００２５】
＜第２実施形態＞
本考案の第２実施形態の光源モジュールコネクタの光源モジュールへの適用の構造模式図である図６を参照する。図６において、光源モジュールコネクタ１０´は、光源モジュール２にも同様に適用され、光源モジュールコネクタ１０´は、第１実施形態と同じの板側端１２と、ワイヤ側端１４とを備える。その相違点は、ワイヤ材１６´の部分にある点である。他の実施形態において、光源モジュールコネクタ１０´は、蓋体１８を備えてもよく、蓋体１８の機能は前述のとおりである。
【００２６】
ここでは、板側端１２に第１導電端子１２２と、第２導電端子１２６と、第１係止具１２４とを形成し、図７を併せて参照すると、導通される必要のある部分としてここで示したのは、第１導電端子１２２であり、そして導通される必要がない部分としてここで示したのは、第２導電端子１２６である。ここでは、第１導電端子１２２と第２導電端子１２６との合計個数として２０個を例として説明する。
【００２７】
ワイヤ側端１４についての説明は前述のとおりであり、ここでの繰り返しの説明は省略する。
【００２８】
本考案の図６のワイヤ材を説明する上面図である図８を併せて参照する。図８において、ワイヤ材１６´の前述のワイヤ材１６´とは異なる開口１４４のある部位にワイヤ材１６´の絶縁層１６２を全部除去し、ワイヤ材１６´は、特別の導線のある部位のみに絶縁層１６２を除去し、本実施形態において、仮に第１導線１６４が第１導電端子１２２に接続されるように、及び第２導線１６６が第２導電端子１２６に接続されないように設計する必要がある。従って、第１導電端子１２２の他端が開口１４４を貫通して第１導線１６４に電気的に接触することは、ワイヤ材１６´に絶縁層１６２を除去して露出させた第１導線１６４に基づいて決定される。そのほか、ワイヤ材１６´は、第１導線１６４のある部位のみに絶縁層１６２を除去して、第２導線１６６のある部位に絶縁層１６２を除去していないため、第２導電端子１２６の他端が開口１４４を貫通して絶縁層１６２に接触するときに、第２導電端子１２６と第２導線１６６との間は絶縁されており、電気的に接続されていない。
【００２９】
従って、設計を行って第１導線１６４から絶縁層１６２をさらに除去すれば、第１導線１６４を第１導電端子１２２または第２導電端子１２６のいずれかと選択的に導通させることができる。
【００３０】
上記の記述によれば、第１実施形態では、板側端１２の導電端子に応じて導線を選択するので、板側端型と称する。また、第２実施形態では、ワイヤ材１６´の絶縁層１６２を除去した位置に露出させた導線に応じて導電端子を選択するので、ワイヤ材型と称する。注意に値することは、同層のバックライト層においては、板側端型とワイヤ材型とを同時に使用することができ、このように同時に採用されるタイプは、混合型と称してもよい点である。
【００３１】
＜第３実施形態＞
本考案の第３実施形態の光源モジュールコネクタの構造模式図である図９を併せて参照する。図９において、光源モジュールコネクタ１０´´は、第１実施形態の板側端１２と、ワイヤ側端１４と、ワイヤ材１６と、蓋体１８とを有する以外に、または第２実施形態の板側端１２と、ワイヤ側端１４と、ワイヤ材１６´と、蓋体１８とを有する以外に、導線配置変換アダプタ２０をさらに含んでもよい。
【００３２】
板側端１２、ワイヤ側端１４、ワイヤ材１６，１６´と蓋体１８についての説明は前述のとおりであり、ここでの繰り返し説明は省略する。
【００３３】
導線配置変換アダプタ２０は、複数のピン足（未図示）を有し、当該複数のピン足は、第１導線１６４と第２導線１６６の他端に接続することができ、ピン足は、ジャンパ線や接続替えなどの方式により、第１導線１６４と第２導線１６６に対して配置を行うことができる。
【符号の説明】
【００３４】
２…光源モジュール
１０，１０´，１０´´…光源モジュールコネクタ
１２…板側端
１２２…第１導電端子
１２４…第１係止具
１２６…第２導電端子
１４…ワイヤ側端
１４４…開口
１４６…第２係止具
１４８…位置決め駒
１６，１６´…ワイヤ材
１６２…絶縁層
１６４…第１導線
１６６…第２導線
１６８…位置決め孔
１８…蓋体
２０…導線配置変換アダプタ
ＳＰ…収容空間
【図１】
0003229405.tif 000003
【図２】
0003229405.tif 000004
【図３】
0003229405.tif 000005
【図４】
0003229405.tif 000006
【図５】
0003229405.tif 000007
【図６】
0003229405.tif 000008
【図７】
0003229405.tif 000009
【図８】
0003229405.tif 000010
【図９】
0003229405.tif 000011